(57)【要約】【課題】  複数枚のパネルをスタッドを介して連結して構成するローパーティションの上記スタッド上端に冠着するキャップであって、パネル連結形態が如何様であってもスタッド上端に冠着できるキャップの提供。【解決手段】  正方形上板２の四辺には下方に延びる側板４，４・・を沿設すると共にコーナーには嵌合部３，３・・を下方へ延ばしている。そして側板４，４・・の中央部５，５・・を薄肉にすると共に必要に応じて削除できるように両側には溝６，６・・を形成している。【選択図】    図２
2006097281.tif 000002
【特許請求の範囲】
【請求項１】
複数枚のパネルがスタッドを介して連結して構成するローパーティションの上記スタッド上端に冠着するキャップにおいて、正方形上板の四辺には下方に延びる側板を沿設すると共にコーナーには嵌合部を下方へ延ばし、そして側板の中央部を薄肉にすると共に必要に応じて削除できるように両側には溝を形成したことを特徴とするローパーティションのパネル連結スタッド上端キャップ。
【請求項２】
上記側板の各コーナー外面に段差をもって化粧溝を形成した請求項１記載のローパーティションのパネル連結スタッド上端キャップ。
【請求項３】
複数枚のパネルがスタッドを介して連結して成るローパーティションのパネル連結構造において、パネル側端には概略コ型断面の長尺材から成る連結部材を固定し、連結部材には嵌入溝とネジ穴を設け、そして上記スタッドには連結部を四方に設け、各パネルの連結部材とスタッドの連結部を間に隙間材を介在して突き合わせ、下連結金具及び上連結金具の脚を上記連結部材及び連結部の嵌入溝に嵌入すると共にネジ止めし、さらに下連結金具の基板中央に設けたネジ穴にはアジャスターネジを螺合してパネルを適当な高さに支持し、スタッド上端にはキャップを冠着し、該キャップの側板中央部を削除して上連結金具の基板の干渉を防止したことを特徴とするローパーティションのパネル連結構造。
【発明の詳細な説明】
【技術分野】
【０００１】
本発明はローパーティションにおいて、パネルを連結する構造及びスタッド上端に冠着するキャップに関するものである。
【背景技術】
【０００２】
部屋空間を仕切る為に使用している間仕切りの中で、私的な小空間を形成する目的でローパーティションが用いられている。このローパーティションの形態も色々あるが、基本的には複数枚のパネルを床面に起立して周りを囲むように構成している。そこで、各パネルを簡単に連結することが出来ると共に、安定した連結が行われることが必要となる。従来ではローパーティションを構成するに当って、このパネル連結構造は色々知られている。
【０００３】
図９は一般的なローパーティションの連結形態を表している。
(ａ)はパネル(イ)、(イ)が直線状に連結している場合で、両パネル(イ)、(イ)の間にはスタッド(ロ)が介在しており、パネル上端には笠木(ハ)が取付けられ、スタッド上端にはキャップ(ニ)が冠着されている。
(ｂ)はＬ型にパネル(イ)、(イ)が連結している場合であり、間にはスタッド(ロ)が介在し、スタッド上端にはキャップ(ニ)が冠着すると共にパネル上端には笠木(ハ)が取付けられている。
(ｃ)は３枚のパネル(イ)、(イ)、(イ)がＴ型を成して連結しているローパーティションである。この場合もパネル上端には笠木(ハ)が取付けられ、スタッド上端にはキャップ(ニ)が冠着されている。
【０００４】
このように、ローパーティションのパネル上端には笠木(ハ)が取付けられ、スタッド上端にはキャップ(ニ)が冠着されている。ところが、ローパーティションには上記図９の(ａ)〜(ｃ)に示すようにパネル(イ)、(イ)・・の連結形態が異なり、さらに十字型に連結する場合もある。そして、これら連結形態ごとにスタッド上端に冠着されるキャップ(ニ)の形状が異なっている。従って、各々の連結形態に適合したキャップ(ニ)を別々に製作しなくてはならない。
【０００５】
この場合、樹脂を射出成形する場合にしろ、アルミをダイキャスト成形する場合にしろ、何れも金型を必要とする為に、キャップ形状ごとに別々の金型を準備しなくてはならない。従って、キャップの製造コストは小さな部品の割には高く成ってしまう。
【０００６】
特許第２６４７０２８号に係る「パネルの連結装置」は、側面の上端近傍に係合部を設けてなるパネルと、四方の側面の上端に前記係合部と係合する切欠き部を具備してなる断面略正方形の支柱と、本体の外形が略正方形であるキャップとから成り、パネルの側面を支柱に添設しつつ下方に移行させて、前記係合部を前記切欠き部に進入させてパネルと支柱とを連結した後、前記キャップを支柱の上端に嵌合するように構成したパネルの連結装置であって、前記キャップ本体の少なくとも三方の側面に、水平方向と垂直下方に選択的に折り曲げ可能で外形が支柱の切欠き部に略等しい嵌合部を延出して設けている。
【０００７】
従って、全ての連結方式に同一のキャップを用いることが出来、異なる連結方式に変更する際に、キャップを取り替える必要がなくなる。さらに、嵌合部はキャップの本体から水平に延出した形状で製造でき、金型をより単純な物とすることが出来る為に、製造に必要な行程及びコストをより一層削減することが可能と成る。しかし、該キャップには水平方向と垂直下方に選択的に折り曲げ可能な嵌合部が必要となる。
【特許文献１】特許第２６４７０２８号に係る「パネルの連結装置」
【発明の開示】
【発明が解決しようとする課題】
【０００８】
このように、従来のキャップには上記のごとき問題がある。本発明が解決しようとする課題はこれら問題点であり、１個で全ての連結形態に使用することが出来ると共に、その形状が簡単なスタッドキャップを提供する。
【課題を解決するための手段】
【０００９】
本発明に係るスタッド上端に冠着されるキャップは概略箱型を成し、上面は正方形と成っている。そして、上面の各辺には下方へ延びる側板が沿設され、又コーナーにはスタッド上端開口に嵌る嵌合部を下方へ延ばしている。ところで、本発明では上記側板の中央部を削除することが出来るようにしている。すなわち、削除される中央部は肉厚が薄く成っていて、しかも削除し易いように溝を形成している。
【００１０】
溝は削除される側板中央部の両側、又必要に応じて側板中央部の底側(上板側)に形成され、側板の中央部以外の部分が削除されないように成っている。そこで、中央部の削除はパネル連結形態に応じて行われ、パネルが連結される側だけの側板中央部を削除すればよい。ここで、本発明はパネルを連結する具体的な構造は特に限定しないが、側板中央部を削除することでスタッドとパネルを連結する為の連結金具を中央切欠き部に収容することが可能と成る。
【発明の効果】
【００１１】
本発明のキャップはスタッド上端に冠着され、該スタッド上端を被覆することが出来る。そして、ローパーティションを構成する為にスタッドを間に介在して連結する場合、パネル及びスタッド上端には連結金具が取付けられることになるが、キャップ側板が連結金具と干渉しないように中央部が削除される。しかも、パネルの連結形態、すなわち、直線連結、Ｌ型連結、又はＴ型連結、さらには十型連結に応じて任意の側板中央部が削除され得る。
【００１２】
従って、四方に切欠かれていない側板を有す箱型キャップが成形され、パネル連結形態に応じて側板中央部を削除することが出来る。その為に、キャップ成形に必要な金型は一種類でよく、製作コストは安くなる。又、側板中央部はその肉厚が薄く成っており、又切欠き用溝が形成されている為に所定の大きさの中央部だけが比較的簡単に、しかも食み出すことなく切欠かれる。
【実施例】
【００１３】
図１は本発明に係るキャップ１を示す実施例である。該キャップ１は樹脂の成形品又はアルミなどの金属ダイキャスト品であり、上板２は正方形の平面を成して各コーナーには嵌合部３，３・・を下方へ延ばしている。そして、正方形上面２の各辺には側板４，４・・を沿設し、該キャップ１は概略箱型形状を成している。そして、側板４，４・・の各コーナーには化粧溝２４，２４・・が形成され、スタッドの各コーナーとの意匠合わせが成されている。
【００１４】
図２は側板４，４・・の中央部が削除された場合を表しているキャップである。削除される側板中央部を斜線にて示しているが、この部分を工具でクランプした状態で切欠き除去することが出来る。同図に示すキャップ１の場合、三方の側板中央部５，５・・が削除される。ここで、斜線で示している中央部５が削除され易くする為に、この部分の肉厚を薄くしていると共に、両側には細い溝を設けている。
【００１５】
図３には図１のＡ部拡大図を表しているように、側板４の削除される中央部５は細い溝６が形成されて、その肉厚は一段と薄く成っている。そして、図４には図１のＢ−Ｂ断面拡大図を示すように、側板中央部５は段差をもって薄肉と成っている為に、側板４の所定の領域内で斜線にて示した中央部５が削除される。
【００１６】
ところで、該キャップ１はローパーティションを構成する為に、パネルを連結するスタッド上端に冠着され、スタッド上端を被覆することが出来る。しかも、側板中央部５が削除される為に、パネルの連結形態が如何様であってもスタッド上端に冠着することが可能である。図２のように、三方の側板中央部５，５・・が削除される場合、Ｔ型連結形態に適用することが出来る。
【００１７】
図５はスタッド７を使用してパネル８ａ，８ｂ，８ｃをＴ型と成る３ＷＡＹ方式で連結した場合を表している。スタッド７には４方向に連結部９ａ，９ｂ・・を設けているが、３ＷＡＹ方式の連結構造では連結部９ａ，９ｂ，９ｃの３箇所が用いられて、パネル８ａ，８ｂ，８ｃが３方向へ延びて連結される。
【００１８】
パネル８ａの側端には連結部材１０ａがネジ止めにて固定され、この連結部材１０ａはスタッド７の連結部９ａに下連結金具及び上連結金具でもって連結される。そして、連結部９ａと連結部材１０ａとの間には隙間材１１が介在して、間の隙間発生を防止している。同じく、パネル８ｂの側端には連結部材１０ｂがネジ止めにて固定され、この連結部材１０ｂはスタッド７の連結部９ｂに下連結金具及び上連結金具でもって連結される。更に、パネル８ｃの側端には連結部材１０ｃがネジ止めにて固定され、この連結部材１０ｃはスタッド７の連結部９ｃに下連結金具及び上連結金具でもって連結される。
【００１９】
ところで、３ＷＡＹ方式の連結構造である為に、スタッド７の連結部９ｄにはパネルが連結されていない。従って、この連結部９ｄの開口２３を塞ぐ為に正面キャップ１２を取付けている。正面キャップ１２には２本の脚１３，１３が形成され、該脚１３，１３がネジ穴１４，１４を設けているネジ穴部１５，１５に係止して該正面キャップ１２は取付けられる。
【００２０】
図６は上連結金具１６ａ，１６ｂ，１６ｃを取付けて、スタッド７とパネル８ａ，８ｂ，８ｃを連結している場合を示している。上連結金具１６は図７に示すように、概略長方形の基板１７の両側に脚１８，１８を延ばし、基板１７の四隅にはネジが挿通する穴１９，１９・・を貫通している。脚１８，１８は板状であって、上連結金具１６ａの脚１８，１８は連結部材１０ａと連結部９ａに形成している嵌入溝２０ａ，２１ａにガタ付くことなく嵌ることが出来る。従って、スタッド７の連結部９ａにパネル８ａが連結される。
【００２１】
同じく、上連結金具１６ｂの脚１８，１８は連結部材１０ｂと連結部９ｂに形成している嵌入溝２０ｂ，２１ｂにガタ付くことなく嵌ることで、スタッド７の連結部９ｂにパネル８ｂが連結される。さらに、上連結金具１６ｃの脚１８，１８は連結部材１０ｃと連結部９ｃに形成している嵌入溝２０ｃ，２１ｃにガタ付くことなく嵌ることで、スタッド７の連結部９ｃにパネル８ｃが連結される。
【００２２】
スタッド７の下端には下連結金具(図示なし)が取付けられて、パネル８ａ，８ｂ，８ｃの下端を連結している。ところで、上連結金具１６ａ，１６ｂ，１６ｃをスタッド上端に取付けることで、スタッド７の連結部９とパネル８の連結部材１０には上連結金具１６の基板１７が載置されて、その板厚分が突出する。
【００２３】
本発明のキャップ１は側板中央部５が削除されることで、削除された切欠き部に基板１７は嵌ることが出来る。図８はスタット上端にキャップ１を冠着した場合を示しているが、キャップ１の各コーナーに設けている嵌合部３，３・・はスタッド７の各コーナーに形成している嵌合穴２２，２２・・に嵌合して取付けられる。
【００２４】
実施例ではＴ型連結形態を説明したが、Ｌ型に連結する場合にはキャップ１の隣合う側板４，４の中央部５，５が削除され、十型連結形態の場合には、四辺全ての側板中央部５，５・・が削除される。
【図面の簡単な説明】
【００２５】
【図１】本発明に係るローパーティションのスタッドキャップ。
【図２】キャップの３方側板中央部が削除される場合。
【図３】図１のＡ部拡大図。
【図４】キャップの側板断面拡大図。
【図５】Ｔ型連結形態。
【図６】上連結金具を取付けたＴ型連結形態。
【図７】上連結金具。
【図８】スタッド上端にキャップを冠着した場合。
【図９】ローパーティションのパネル連結形態。
【符号の説明】
【００２６】
１  キャップ
２  上板
３  嵌合部
４  側板
５  中央部
６  溝
７  スタッド
８  パネル
９  連結部
10  連結部材
11  隙間材
12  正面キャップ
13  脚
14  ネジ穴
15  ネジ穴部
16  上連結金具
17  基板
18  脚
19  穴
20  嵌入溝
21  嵌入溝
22  嵌合穴
23  開口
24  化粧溝
【図１】
2006097281.tif 000003
【図２】
2006097281.tif 000004
【図３】
2006097281.tif 000005
【図４】
2006097281.tif 000006
【図５】
2006097281.tif 000007
【図６】
2006097281.tif 000008
【図７】
2006097281.tif 000009
【図８】
2006097281.tif 000010
【図９】
2006097281.tif 000011